(57)【要約】【課題】本発明は、地山からの漏水を確実に排水することができる排水装置を提供する。【解決手段】地山Ｇと防水シート４０との間から、防水シート４０に形成された開口４０ａを通して漏水を排水する排水装置１であって、防水シート４０と接着される接着面を有し、漏水を防水シート４０の開口４０ａを通して排水する通水路Ａが形成された通水部材１０と、通水路Ａの入水口側を開閉する止水板２１と、止水板２１の開閉を通水路Ａの排水口側から操作する操作手段として開放端側にナット２４が固定された長ねじ２３を備えている。この構成により、地山に防水シートを張り付けた後に、防水シート側から設置できる。また、コンクリートの打設された後は、排水口側から操作で通水路Ａを閉じることができる。【選択図】図７
2014062436.tif 000002
【特許請求の範囲】
【請求項１】
地山と防水シートとの間の漏水を前記防水シートに形成された開口を通して排水する排水装置であって、
前記防水シートと接着される接着面を有し、漏水を前記防水シートの前記開口を通して排水する通水路が形成された通水部材と、
前記通水路の入水口側に設けられ、前記通水路を開閉する止水板と、
前記通水路の排水口側に設けられ、前記止水板を操作する操作手段とを具備することを特徴とする排水装置。
【請求項２】
前記通水部材は、
前記通水路の前記入水口となる開口が形成され、当該開口の周囲が前記接着面となる座板と、
当該座板に前記開口と連通して立設され、開放端が前記通水路の前記排出口となる通水パイプとを備え、
前記止水板は、前記座板に対して垂直方向に移動可能に支持され、
前記止水板の前記座板に対する垂直方向の移動によって、前記通水路の前記入水口が開閉されることを特徴とする請求項１記載の排水装置。
【請求項３】
前記止水板に垂直に立設された長ねじと、
当該長ねじとの螺合によって、前記止水板を前記座板に対して垂直方向に移動可能に支持する支持手段とを具備することを特徴とする請求項２記載の排水装置。
【請求項４】
前記止水板によって前記通水路の前記入水口が閉じられた閉塞状態において、前記止水板と前記座板との間に介在して漏水の前記通水路への進入を防止する止水パッキンを具備することを特徴とする請求項２又は３記載の排水装置。
【請求項５】
前記止水板と前記座板との間隙から前記通水路への異物の進入を防止するフィルタを具備することを特徴とする請求項２乃至４のいずれかに記載の排水装置。
【請求項６】
請求項１乃至５の何れかに記載の排水装置が地山に施された防水シートに設置された状態で組み込まれていることを特徴とする構造物。
【発明の詳細な説明】
【技術分野】
【０００１】
本発明は、地山からの漏水を排水する排水装置に関する。
【背景技術】
【０００２】
例えば、躯体の外側に先防水工を設置する際、地山に防水シートを先行して張り付けた場合、コンクリートを打設するまでは反力が取れないので、地山と防水シートとの間に漏水が溜まって防水シートが破損することがある。
現行では、地山と防水シートとの間に漏水が溜まることを防止するために、地山壁面にドレーン材を設置して、底部に設けた暗渠等を使用して導水し、壁面背面から排水して水抜きを行っている（特許文献１、符号１１）。
【先行技術文献】
【特許文献】
【０００３】
【特許文献１】特開平８−１０５０７３号公報
【発明の概要】
【発明が解決しようとする課題】
【０００４】
しかしながら、ドレーンの目詰まりや漏水量が想定よりも多い場合には、排水機能が有効ではなくなり、コンクリート打設前において水圧により防水シートが破損することがあった。特に、近年施工が多用される、土地所有権者の効力が及ばない４０ｍ以下の大深度構造物での漏水量は多く、排水機能の向上が待望されている。
【０００５】
本発明の目的は、かかる点に鑑みてなされたものであり、その目的とするところは、地山からの漏水を確実に排水することができる排水装置を提供することにある。
【課題を解決するための手段】
【０００６】
本発明の排水装置は、地山と防水シートとの間の漏水を前記防水シートに形成された開口を通して排水する排水装置であって、前記防水シートと接着される接着面を有し、漏水を前記防水シートの前記開口を通して排水する通水路が形成された通水部材と、前記通水路の入水口側に設けられ、前記通水路を開閉する止水板と、前記通水路の排水口側に設けられ、前記止水板を操作する操作手段とを具備することを特徴とする。
さらに本発明の排水装置において、前記通水部材は、前記通水路の前記入水口となる開口が形成され、当該開口の周囲が前記接着面となる座板と、当該座板に前記開口と連通して立設され、開放端が前記通水路の前記排出口となる通水パイプとを備え、前記止水板は、前記座板に対して垂直方向に移動可能に支持され、前記止水板の前記座板に対する垂直方向の移動によって、前記通水路の前記入水口が開閉されるようにしても良い。
さらに本発明の排水装置において、前記止水板に垂直に立設された長ねじと、当該長ねじとの螺合によって、前記止水板を前記座板に対して垂直方向に移動可能に支持する支持手段とを備えても良い。
さらに本発明の排水装置において、前記止水板によって前記通水路の前記入水口が閉じられた閉塞状態において、前記止水板と前記座板との間に介在して漏水の前記通水路への進入を防止する止水パッキンを備えても良い。
さらに本発明の排水装置において、前記止水板と前記座板との間隙から前記通水路への異物の進入を防止するフィルタを備えても良い。
また、本発明の構造物は、上述の排水装置が地山に施された防水シートに設置された状態で組み込まれていることを特徴とする。
【発明の効果】
【０００７】
本発明によれば、地山に防水シートを張り付けた後であっても、防水シートに設置することで、地山からの漏水を確実に排水することができるという効果を奏する。
【図面の簡単な説明】
【０００８】
【図１】本発明に係る排水装置の実施の形態における開放状態の構成を示す斜視図である。
【図２】本発明に係る排水装置の実施の形態の設置例を示す説明図である。
【図３】図１に示す通水部材の部品構成を示す正面図（ａ）及び側面図（ｂ）である。
【図４】図１に示す弁部材の部品構成を示す正面図（ａ）及び側面図（ｂ）である。
【図５】本発明に係る排水装置の実施の形態の製造工程を説明するための説明図である。
【図６】本発明に係る排水装置の実施の形態における閉塞状態の構成を示す斜視図である。
【図７】本発明に係る排水装置の実施の形態の設置方法を説明するための側断面図である。
【図８】本発明に係る排水装置の実施の形態の設置方法を説明するための側断面図である。
【図９】本発明に係る排水装置の実施の形態の設置例を示す側断面図である。
【図１０】本発明に係る排水装置の他の実施の形態の構成を示す側断面図である。
【図１１】本発明に係る排水装置の他の実施の形態の構成を示す側断面図である。
【図１２】本発明に係る排水装置の他の実施の形態の構成を示す側断面図である。
【発明を実施するための形態】
【０００９】
次に、本発明を実施するための形態（以下、単に「実施の形態」という）を、図面を参照して具体的に説明する。
本実施の形態の排水装置１は、図１を参照すると、通水路Ａが形成された通水部材１０と、通水路Ａを開閉する弁部材２０とで構成されている。通水部材１０は、図２に示すように、先防水工として山留め壁（以下、地山３０と称す）に施された防水シート４０に取り付けて設置され、通水路Ａを通して地山Ｇからの漏水を内側に排水する。
【００１０】
図２に示す例では、防水シート４０は、Ｈ形鋼５０等によって山留めされた地山３０と、基礎地盤上に打設された均しコンクリート６１上とに張り付けられている。図２に示す符号６２は、保護モルタルや躯体コンクリート（以下、床コンクリートと称す）であり、均しコンクリート６１上に張り付けられた防水シート４０上に打設されている。この状態では、床コンクリート６２が打設されている地山３０の壁面には、床コンクリート６２による反力が作用するが、上方のコンクリートが打設されていない地山３０には、反力が作用しない。これにより、コンクリートが打設されていない地山３０からの漏水は、地山３０の壁面と防水シート４０との間を通って下方に流れ、床コンクリート６２による反力が作用している地山３０の上方の、地山３０と防水シート４０との間に溜まってしまう。この地山３０と防水シート４０との間に溜まる漏水を、防水シート４０に取り付けた排水装置１（通水部材１０）によって内側に排水する。従って、排水装置１（通水部材１０）は、できるだけ床コンクリート６２に近付けて設置することが好ましい。また、壁面の躯体コンクリートの打継ぎ時においても、打継ぎ面の上方の地山３０と防水シート４０との間に溜まることが懸念される場合には、同様に防水シート４０に取り付けた排水装置１（通水部材１０）によって排水させることができる。なお、排水装置１（通水部材１０）を設置する数は、漏水の量に応じて適宜設定すると良い。
【００１１】
通水部材１０は、図３に示すように、円盤状の座板１１と、通水パイプ１２と、ナット１３とで構成されている。座板１１及び通水パイプ１２は、金属製である。座板１１には、通水路Ａとなる開口１１ａと、中心に中心孔１１ｂが形成された支持片１１ｃとが形成されている。開口１１ａは、正面視概略半円形をなし、支持片１１ｃの両側にそれぞれ形成されている。また、開口１１ａは、座板１１の中心から、通水パイプ１２の内半径ｒ２の範囲内に形成されている。
【００１２】
弁部材２０は、図４に示すように、円盤状の止水板２１と、ドーナッツ状の止水パッキン２２と、長ねじ２３と、ナット２４とで構成されている。止水板２１は、金属製である。止水板２１の半径ｒ３は、通水パイプ１２の内半径ｒ２よりも大きく構成されている。止水パッキン２２は、エラストマー等の弾性を有する弾性部材である。止水パッキン２２の外径ｒ４は、止水板２１の半径ｒ３とほぼ等しく、シール部材２２の外径ｒ４は、止水板２１の半径ｒ３とほぼ等しく、また、通水パイプ12の内半径ｒ２よりも大きく構成されている。」。
【００１３】
次に排水装置１の製造工程について図５を参照して説明する。
まず、通水部材１０として、図５（ａ）に示すように、ナット１３を座板１１の支持片１１ｃに、支持片１１ｃの中心孔１１ｂとナット１３の螺旋孔とが重なるように溶接固定する。
次に、弁部材２０として、図５（ｂ）に示すように、止水パッキン２２を止水板２１に、互いの外径がほぼ重なるように接着剤で張り付ける。そして、止水パッキン２２を張り付けた面側の止水板２１の中心に、長ねじ２３を止水板２１に対して垂直方向に立設させて溶接固定する。
次に、図５（ｃ）に示すように、止水板２１に立設されている長ねじ２３を、ナット１３が固定されていない面側から、座板１１の支持片１１ｃに固定されたナット１３の螺旋孔に螺入させて、通水部材１０と弁部材２０とを接続する。これにより、通水部材１０のナット１３と弁部材２０の長ねじ２３とが止水板２１を長ねじ２３の軸方向に移動可能に支持する支持機構として機能する。この支持機構により、止水板２１は、止水パッキン２２を張り付けた面が座板１１と対向してほぼ平行に、且つ座板１１の垂直方向に移動可能に支持される。また、止水板２１の移動は、ねじ機構によって行われるように構成されている。従って、ナット１３と長ねじ２３は、止水板２１をその場に保持する保持機構としても機能する。例えば、打設されたコンクリート圧によって座板１１が止水板２２に向けて押し付けられても、ねじ機構のため止水板２１は移動することなく、止水板２２と座板１１との間隙を維持することができる。
次に、図５（ｃ）に矢印で示すように、通水パイプ１２を長ねじ２３の開放端側から、座板１１の中心と通水パイプ１２の中心とを一致させて、通水パイプ１２を座板１１に対して垂直方向に立設させて溶接固定する。これにより、座板１１の開口１１ａと通水パイプ１２とで通水路Ａが形成されることになる。座板１１の開口１１ａは、漏水の入水口となり、通水パイプ１２の開放端側が漏水の排水口となる。
次に、長ねじ２３の開放端側からナット２４を螺入させて溶接固定する。これにより、図１に示す排水装置１が完成される。開放端側にナット２４が固定された長ねじ２３は、通水路Ａの排水口側から止水板２１の移動を操作する操作部として機能する。すなわちＴ型レンチを用いて、通水路Ａの排水口側からナット２４を回転させることで、止水板２１を座板１１の垂直方向に移動させることができる。
【００１４】
止水板２１の座板１１の垂直方向への移動によって、通水路Ａが開閉される。図１には、止水板２１（止水パッキン２２）と座板１１との間に間隙が形成され、通水路Ａが開放された開放状態が示されている。図１に示す開放状態からナット２４を矢印で示す方向に回して、止水板２１が座板１１に近づく方向に移動させることで、図６に示す閉塞状態に移行される。図６に示す閉塞状態では、止水板２１（止水パッキン２２）が座板１１と密着して、通水路Ａが入水口（座板１１の開口１１ａ）側から閉塞される。これにより、通水路Ａを通した地山Ｇからの漏水の排水を禁止させることができる。また、図６に示す閉塞状態において、止水パッキン２２は、止水板２１の回り留めとして機能する。すなわち止水板２１を座板１１から遠ざかる方向に押す止水パッキン２２の弾性力が、長ねじ２３とナット２４とを螺合しているねじ山に接触圧を付与し、この接触圧がねじ山間の摩擦力を増加させるので、止水板２１は座板１１に対して回りにくくなる。
【００１５】
次に排水装置１の設置方法について図７を参照して説明する。
まず、図７（ａ）に示すように、地山３０に張り付けられた防水シート４０に、止水板２１を通すことができ、座板１１よりも小さい開口４０ａを形成する。開口４０ａは、カッター等を用いることで簡単に形成することができる。
次に、図７（ｂ）に示すように、止水板２１を開口４０ａから防水シート４０と地山３０との間に進入させると共に、座板１１と防水シート４０とを接着させることで、排水装置１が設置される。なお、座板１１と防水シート４０との接着には、例えば合成ゴム系の接着剤を用いることができる。また、座板１１を防水シート４０の表面上から接着させる場合には、座板１１を地山３０に向けて押し付ける必要がある。この場合には、図７（ｂ）に示すように、止水板２１を地山３０にめり込ませる必要があり、排水装置１（通水部材１０）は、Ｈ形鋼５０に対向していない箇所に設置すると良い。
【００１６】
図７（ｂ）に示す排水装置１は、通水路Ａが開放された開放状態である。開放状態では、地山Ｇからの漏水は、止水板２１（止水パッキン２２）が座板１１との間隙と、防水シート４０に形成された開口４０ａと、座板１１の開口１１ａ及び通水パイプ１２で構成された通水路Ａとを通って内側に排水される。なお、図７では、開放状態の排水装置１を設置する例について示したが、閉塞状態の排水装置１を設置した後、開放状態に移行させるようにしても良い。
【００１７】
図８（ａ）に示す排水装置１は、通水路Ａが閉塞された閉塞状態である。コンクリートの打設によって、地山Ｇからの漏水に対する反力が形成されると、通水路Ａの排水口側からナット２４を操作して、止水板２１を移動させ。排水装置１を開放状態から閉塞状態に移行させる。閉塞状態では、止水板２１（止水パッキン２２）と座板１１とが密着されるため、座板１１の開口１１ａ及び通水パイプ１２で構成された通水路Ａが閉塞され、地山Ｇからの漏水の排水が禁止される。なお、止水板２１（止水パッキン２２）には、漏水によって地山Ｇ側から力が作用するため、止水板２１（止水パッキン２２）は、座板１１に向けて押し付けられ、通水路Ａが強固に閉塞されることになる。
【００１８】
図８（ｂ）には、排水装置１の他の設置例が示されており、座板１１も防水シート４０と地山３０との間に進入させ、座板１１の通水パイプ１２が立設されている面側から防水シート４０を接着させている。座板１１を防水シート４０と地山３０との間に進入させるためには、例えば防水シート４０を十字状に切断し、切断箇所から座板１１を進入させると良い。また、座板１１を防水シート４０との接着に際し、防水シート４０を座板１１に押し付けることができるため、接着作業を容易に行うことができる。さらに、座板１１の通水パイプ１２を除く全面を接着領域とすることができるため、接着強度を強くすることができる。
【００１９】
防水シート４０が施された地山３０に沿って打設されるコンクリート幅が通水パイプ１２の長さよりも広い場合には、図９に示すように、通水パイプ１２を接続機構として機能させ、通水パイプ１２に延長パイプ７０を接続して用いると良い。延長パイプ７０として、鋼管、ボイド管、塩ビ管、スパイラル管等、本発明を実施する上で好適なものを採用することができる。なお、延長パイプ７０として市販品を用いることができるように、通水パイプ１２の外径を市販品の内径よりも僅かに小さく設定すると良い。
【００２０】
図９には、防水シート４０が施された地山３０に沿って、構造物の壁面となる躯体コンクリート６３を打設する例が示されており、排水装置１は、躯体コンクリート６３に組み込まれない位置に設置されている。すなわち、躯体コンクリート６３に異物が混入されることは好ましいものではなく、排水装置１は躯体コンクリート６３に組み込まれないサイズに設定し、延長パイプ７０を用いて漏水を躯体コンクリート６３の内側まで通水して排水する。この場合、躯体コンクリート６３に所定硬化発現後、延長パイプ７０は躯体コンクリート６３に組み込まれることになるが、延長パイプ７０として、例えば、躯体コンクリート６３に組み込まれても問題がない強度を有する鋼管を用いることで対応することができる。また、躯体コンクリート６３に所定硬化発現後、排水装置１を閉塞状態に移行させると共に、延長パイプ７０内にモルタル等を充填して強度を確保するようにしても良い。さらに、延長パイプ７０として、ボイド管やスパイラル管を用いて、躯体コンクリート６３に所定硬化発現後、排水装置１を閉塞状態に移行させると共に、延長パイプ７０を引き抜き、引き抜いた後の空隙にモルタル等を充填しても良い。この場合には、延長パイプ７０を全て引き抜く必要はなく、躯体コンクリート６３内に位置する箇所のみを取り除くことができれば良い。なお、本例において、躯体コンクリート６３と防水シート４０間にも、施工性を考慮してコンクリートを打設する。
【００２１】
次に、本発明の他の実施の形態について図１０を参照して詳細に説明する。
図１０に示す排水装置１ａは、上述の排水装置１の構成に加えて、止水板２１を覆うように座板１１に取り付けられたフィルタFを備えている。土石等の異物が止水板２１と座板１１との間隙から通水路Ａに向けて進入すると、止水板２１の移動が損なわれたり、通水路Ａが目詰まりしたり、止水板２１による閉塞が不完全になったりする虞がある。そこで、フィルタFは、止水板２１と座板１１との間隙からの土石等の異物の進入を防止する異物進入防止部として機能する。フィルタＦとしては、不織布その他の透水性材料、金網等を用いることができる。また、フィルタＦは、少なくとも止水板２１と座板１１との間隙を覆うように設けられていれば良い。
【００２２】
次に、本発明の他の実施の形態について図１１を参照して詳細に説明する。
図１１に示す排水装置１ｂは、上述の排水装置１の長ねじ２３に換えて、周面から係合突起２５が弾性を持って突出している操作棒２６が設けられていると共に、ナット１３に換えて、係合突起２５と係合する係合孔１４が形成された筒状体１５が設けられている。筒状体１５と操作棒２６とが止水板２１の支持機構及び保持機構として機能する。図１１（ａ）に示すように、操作棒２６の係合突起２５が筒状体１５の係合孔１４と係合することで、排水装置１ｂは開放状態に保持される。図１１（ａ）に示す矢印で示す方向に操作棒２６を引くことで、操作棒２６の係合突起２５は筒状体１５押し下げられ、止水板２１が閉じる方向に移動可能になる。なお、図１１に示すように、操作棒２６の開放端側に引っ掛け穴２７等の被係合部を形成しておくことで、係合部が先端に形成された操作器具を用いて簡単に操作棒２６を引くことができる。そして、図１１（ｂ）に示すように、操作棒２６の係合突起２５が筒状体１５の端部と係合することで、排水装置１ｂは閉塞状態に保持される。この例では、止水板２１を回転させることなく移動させることができるため、操作性が向上する。
【００２３】
さらに、本発明の他の実施の形態について図１２を参照して詳細に説明する。
図１２に示す排水装置１ｃでは、座板１１の外周に額部１１ｄが形成されている。額部１１ｄは、防水シート４０に当接することで、地山３０と座板１１との間に間隙を形成するための間隙形成手段である。従って、額部１１ｄを座板１１と一体で形成する必要はなく、別部材で構成することもできる。
【００２４】
図１２に示す排水装置１ｃの設置方法は、まず、図１２（ａ）に示すように、地山３０に張り付けられた防水シート４０に、止水板２１よりも若干広く、座板１１（額部１１ｄが形成されている領域）よりも小さい開口４０ｂを形成する。
次に、図１２（ｂ）に示すように、止水板２１を開口４０ｂから地山３０側に進入させると共に、額部１１ｄを防水シート４０に当接させる。
次に、座板１１を覆うようにドーナッツ状の増貼りシート４１を被せ、増貼りシート４１と防水シート４０及び座板１１の接着面とを接着させる。
これにより、図１２（ｂ）に示すように、地山３０と座板１１との間に間隙が確保された状態で排水装置１ｃが設置され、Ｈ形鋼５０に対向している箇所等の地山３０に止水板２１をめり込ませることができない場合でも、排水装置１ｃを設置することができる。
【００２５】
以上説明したように、本実施の形態は、地山Ｇと防水シート４０との間の漏水を防水シート４０に形成された開口４０ａを通して排水する排水装置１であって、防水シート４０と接着される接着面を有し、漏水を防水シート４０の開口４０ａを通して排水する通水路Ａが形成された通水部材１０と、通水路Ａの入水口側から通水路Ａを開閉する止水板２１と、止水板２１を通水路Ａの排水口側から操作する操作手段として開放端側にナット２４が固定された長ねじ２３を備えている。この構成により、地山に防水シートを張り付けた後に、防水シート側から設置できる。また、コンクリートが打設された後は、排水口側から操作で通水路Ａを閉じることができる。従って、本実施の形態の排水装置１は、地山に防水シートを張り付けた後に、漏水量に応じて適宜設置することができるため、地山からの漏水を確実に排水することができる。
【００２６】
さらに、本実施の形態によれば、通水部材１０は、通水路Ａの入水口となる開口１１ａが形成され、開口１１ａの周囲が接着面となる座板１１と、座板１１に開口１０ａと連通して立設され、開放端が通水路Ａの排出口となる通水パイプ１２とを備え、止水板２１は、座板１１に対して垂直方向に移動可能に支持され、止水板２１の座板１１に対する垂直方向の移動によって、通水路Ａの入水口が開閉される。この構成により、止水板２１によって通水路Ａを入水口側から確実に閉塞することができる。また、閉塞状態において、地山側からの圧力によって、止水板２１が座板１１に押し付けられるため、通水路Ａを確実に閉塞することができる。
【００２７】
さらに、本実施の形態によれば、止水板２１に垂直に立設された長ねじ２３と、長ねじ２３との螺合によって、止水板２１を座板１１に対して垂直方向に移動可能に支持する支持手段として座板１１の支持片１１ｃに固定されたナット１３とを備えている。この構成により、止水板２１をその場に保持することができる。例えば、打設されたコンクリート圧によって座板１１が止水板２２に向けて押し付けられても、ねじ機構のため止水板２１は移動することなく、止水板２２と座板１１との間隙を維持することができる。
【００２８】
さらに、本実施の形態によれば、止水板２１によって通水路Ａの入水口が閉じられた閉塞状態において、止水板２１と座板１１との間に介在して漏水の通水路Ａへの進入を防止する止水パッキン２２を備えている。この構成により、通水路Ａへの漏水の進入を確実に防止することができる。
【００２９】
さらに、本実施の形態によれば、止水板２１と座板１１との間隙から通水路Ａへの異物の進入を防止するフィルタＦを備えている。この構成により、止水板２１と座板１１との間隙からの異物の進入を防止でき、止水板２１の移動が損なわれたり、通水路Ａが目詰まりしたり、止水板２１による閉塞が不完全になったりすることを防止することができる。
【００３０】
以上、本発明を実施の形態をもとに説明した。この実施の形態は例示であり、それらの各構成要素の組み合わせ等にいろいろな変形例が可能なこと、またそうした変形例も本発明の範囲にあることは当業者に理解されるところである。
例えば、通水パイプ１２の一端を成形して座板１１としてもよい。また、通水パイプ１２と座板１１とを一体成形しても良い。
また、止水パッキン２２を座板１１に設けることも可能である。また、止水板２１と座板１１と双方に止水パッキン２２を設けることも可能である。
また、上述の実施の形態では、止水板２１及び座板１１は平面視円形であったが、矩形その他、本発明を実施する上で好適な形状にすることが出来る。
また、上述の実施の形態では、排水装置１０を山留め壁に用いたが、本発明に係る排水装置はそれに限定されずトンネルその他の地下構造物に適用できる。
【符号の説明】
【００３１】
１、１ａ、１ｂ、１ｃ  排水装置
１０  通水部材
１１  座板
１１ａ  開口
１１ｂ  中心孔
１１ｃ  支持片
１１ｄ  額部
１２  通水パイプ
１３  ナット
１４  係合孔
１５  筒状体
２０  弁部材
２１  止水板
２２  止水パッキン
２３  長ねじ
２４  ナット
２５  係合突起
２６  操作棒
２７  引っ掛け穴
３０  地山
４０  防水シート
４０ａ、４０ｂ  開口
４１  増貼りシート
５０  Ｈ形鋼
６１  均しコンクリート
６２  床コンクリート
６３  躯体コンクリート
Ａ  通水路
Ｇ  地山
Ｆ  フィルタ
【図１】
2014062436.tif 000003
【図２】
2014062436.tif 000004
【図３】
2014062436.tif 000005
【図４】
2014062436.tif 000006
【図５】
2014062436.tif 000007
【図６】
2014062436.tif 000008
【図７】
2014062436.tif 000009
【図８】
2014062436.tif 000010
【図９】
2014062436.tif 000011
【図１０】
2014062436.tif 000012
【図１１】
2014062436.tif 000013
【図１２】
2014062436.tif 000014